(57)【特許請求の範囲】
【請求項１】
水噴霧ノズル側に取付けるものとしての外周に係止用溝付き突片を形成したリングによるクランパーと、側部に前記クランパーの係止用溝付き突片に掛止するキャッチクリップを取付け、一端が該クランパーに当接して内部に水噴霧ノズルの放水口を収容する円筒カップリング継手とからなることを特徴としたトンネル用水噴霧設備の点検用治具。
【請求項２】
円筒カップリング継手はクランパーに当接する端部と反対側端の外周または内周に係合螺子を形成した請求項１記載のトンネル用水噴霧設備の点検用治具。
【請求項３】
クランパーに設けた凹部と円筒カップリング継手の前記該クランパーに当接する端部の内側の空所とで水噴霧ノズルの張出部を収容する凹所を形成するとともに、前記円筒カップリング継手の前記該クランパーに当接する端部の内空間にはＯリングによるシールパッキンを配設し、これを水噴霧ノズルの放水口近くに圧接して放水口からの水がクランパーへと行かないように止水する請求項１または請求項２記載のトンネル用水噴霧設備の点検用治具。
【請求項４】
クランパーに設けた凹部の底部分に内向きフランジを形成した請求項１ないし請求項３のいずれかに記載のトンネル用水噴霧設備の点検用治具。
【発明の詳細な説明】
【技術分野】
【０００１】
本発明はトンネル用水噴霧設備の点検用治具に関するものである。
【背景技術】
【０００２】
高速道路等のトンネルには、火災に対処するための水噴霧設備が設けられている。
【０００３】
水噴霧設備は、トンネルの軸方向の上部に所定間隔（例えば５ｍ毎）をおいて配置された水噴霧ノズルと、水噴霧ノズルへの水の供給を制御する弁装置と、水を圧送するポンプ装置を備える。
【０００４】
水噴霧ノズルは、トンネルの軸方向に延びる配水管に接続された分岐管の先端に、ノズルヘッドが固定されて形成され、トンネルの形状や寸法等に応じて、トンネル内に均一に噴霧されるように、例えば遠投用ヘッドや近投用ヘッド等の種々のノズルヘッドが設けられ、また、任意の数のノズルヘッドが設けられ、また、ノズルヘッドの水の放出方向が調整される。
【０００５】
トンネル内で火災が検知されると、遠隔操作や自動制御でポンプ装置を起動すると共に弁装置を開き操作して水噴霧ノズルに水を供給し、水噴霧ノズルから霧状の水を放出してトンネル内に霧状の水を充満させる。これにより、水の蒸発による冷却効果と、水滴の充満による酸欠効果を発揮して、火災の抑制とトンネルの保護を行うようになっている。
【０００６】
このようなトンネル内の水噴霧装置は、一定の頻度（２年毎に１回程度）で放水性能の点検を行い、変形や錆びつき等による水噴霧ノズルの目詰まりを点検する必要がある。
【０００７】
従来の水噴霧ノズルの目詰まりの点検は、トンネル内の交通を全面遮断して水噴霧ノズルから実際に水を噴霧させ、作業員の目視や手作業による計量によって水噴霧ノズルの目詰まりを個別に点検していたが、この点検方法は、道路を全面通行止めにするので、交通に与える影響が大きい。
【０００８】
そこで、下記特許文献にもあるが、従来、水噴霧ノズルから水を受ける容器と、容器で受けた水の流量を測定する電磁流量計とを搭載した水噴霧設備の点検車両が提案されている。
【特許文献１】特許第４００２６７４号公報
【０００９】
この水噴霧設備の点検車両１は図２１、図２２にも示すように、昇降用のリフター２を介して作業台バケット３が昇降自在に設けられ、作業台バケット３には各種機器の他にトンネルの長手方向アーム４が伸縮自在、鉛直軸回りで回動自在且つ一方向に水平移動自在に備えられ、アーム４には、水噴霧ノズルを個別に囲む容器としての集水器５が３〜５個、横スライドおよび前後動自在に設けられる。
【００１０】
図２３に示すように、上下・左右・前後に位置調整可能な集水器５でトンネル内設置の水噴霧ノズルを囲い込み、周囲に水しぶきを飛散させることなく噴霧量を計測することができる。
【００１１】
この機能により、車線規制での点検が可能となり、トンネル内の全面通行止めを回避できる。
【００１２】
また、噴霧量は電磁流量計でリアルタイムに計測され、ＳＳ無線（特定小電力タイプの無線）で子機から親機に伝送、親機が設置されている車両キャビン内のパソコンに計測結果が記録される。なお、容器が受けた水から、気液分離タンクで空気を除去し、電磁流量計で流量を測定した後、道路の排水溝に排出する。
【００１３】
下記特許文献は、特殊車両の使用が必須ではなくて、点検に使用する車両に関するコストを効果的に低減できるものとして提案されたものである。
【特許文献２】特許第５１６６３６１号公報
【００１４】
この特許文献２は、図２４、図２５に示すように水噴霧ノズルとしては、トンネル用水噴霧設備に用いられる水噴霧ノズルであって、霧状の水を放出するノズルヘッドと、前記ノズルヘッドよりもトンネルの壁面側に露出して配置され、トンネル用水噴霧設備の点検装置のアタッチメントに連結されて、上記ノズルヘッドを収容して密閉された集水室を前記アタッチメントと共に形成するアタッチメント連結部とを備える。
【００１５】
水噴霧ノズル１１はトンネル７の上部に設置されてトンネルの軸方向に延びる配水管１２にトンネルの軸方向に所定間隔をおいて配置されるもので、トンネル用水噴霧設備の点検装置は、水噴霧ノズル１１に連結されるアタッチメント３２と、気液分離装置と、流量計と、排水装置とが順次連なって構成されている。
【００１６】
アタッチメント３２は、一面に開口が設けられたステンレス製の箱状体２１を有し、この箱状体２１の開口２１ａの周囲に、シール部材としてのウレタン製のパッキン２４が設けられる。
【００１７】
箱状体２１の両側面と天面と底面の開口２１ａ側には、パッチン錠の操作部３６が、各面につき２個ずつ設けられ、箱状体２１の底面には、下端にカップリング２３が設けられた排出管２２が固定される。
【００１８】
水噴霧ノズル１１へのアタッチメント３２の取り付けは、アタッチメント３２の開口２１ａを通してノズルヘッド１４と分岐管１３の先端部を内部に収容させ、アタッチメント３２のパッキン２４を連結板１５の縁部に密着させた状態で、連結板１５のパッチン錠の操作部３６を操作してアタッチメント３２を連結する。
【００１９】
手動操作により、水噴霧設備のポンプ装置を起動すると共に弁装置を開き操作し、配水管１２への水の圧送を開始する。配水管１２へ水が圧送されると、分岐管１３を通して各水噴霧ノズル１１に水が供給され、水噴霧ノズル１１のノズルヘッド１４から水が放出される。ノズルヘッド１４から放出された水は、アタッチメント３２と連結板１５とで形成された集水室に漏れなく集められ、アタッチメント３２の排出管２２とホースを通して気液分離装置に送られ、流量計で流量が測定される。
【発明の概要】
【発明が解決しようとする課題】
【００２０】
前記水噴霧設備点検車の場合は、水噴霧ノズルの放水を行う間、水噴霧ノズルを収容した状態で集水器を支持し続ける必要があるので、油圧駆動のアームによって集水器を所定の位置に保持する必要がある。
【００２１】
そして、水噴霧ノズルの設置個所が狭小スペースや送風機その他の障害物が周囲にある場合には、集水器でトンネル内設置の水噴霧ノズルを囲い込むことができないので使用不可能となる。
【００２２】
特許文献２では、アタッチメントは一面に開口が設けられたステンレス製の箱状体からなるもので、ノズルヘッド２個を収容して密閉された集水室を前記アタッチメントと共に形成するアタッチメント連結部とを備えて、集水室を形成するため、全体的に大型のものとなり、場所を取るものである。
【００２３】
また、止水に関しては、箱状体とアタッチメント連結部との間が、シール部材でシールされるので、水噴霧ノズルから放出された水の集水室からの漏れを効果的に防止できるとされるが、このようなパッチン錠とシール部材だけで効果的な止水を期待するのは困難である。
【００２４】
本発明の目的は前記従来例の不都合を解消し、水噴霧ヘッドのピット間隔やトンネル内のさまざまな障害物があるような水噴霧設備点検車の集水器が使用できない場所でも、簡単に点検が可能で、しかも、場所を取らずに部品を設置でき、ホースを使用する際もホース自体が回ってしまうこともなく安定した状態でホースを接続でき、さらに、水漏れ対策としての止水も完璧なものであるトンネル用水噴霧設備の点検用治具を提供することにある。
【課題を解決するための手段】
【００２５】
前記目的を達成するため、請求項１記載の本発明は、水噴霧ノズル側に取付けるものとしての外周に係止用溝付き突片を形成したリングによるクランパーと、側部に前記クランパーの係止用溝付き突片に掛止するキャッチクリップを取付け、一端が該クランパーに当接して内部に水噴霧ノズルの放水口を収容する円筒カップリング継手とからなることを要旨とするものである。
【００２６】
請求項１記載の本発明によれば、治具はリングによるクランパーと一端が該クランパーに当接して内部に水噴霧ノズルの放水口を収容する円筒カップリング継手とからなるので、水噴霧ノズルの放水口の一つ一つに取付けることができるので、場所を取ることもなく、ホースを接続して放水口毎に放出された水を、漏れが生じることなく流量計に送り、トンネル用水噴霧設備の点検を行うことができる。
【００２７】
また、クランパーに対して円筒カップリング継手はキャッチクリップにより固定されるので、左右にキャッチクリップがあれば、カムロック式継手または町野式継手を用いる場合のようにホースが回ってしまうようなおそれはない。
【００２８】
請求項２記載の本発明は、円筒カップリング継手はクランパーに当接する端部と反対側端の外周または内周に係合螺子を形成したことを要旨とするものである。
【００２９】
請求項２記載の本発明によれば、円筒カップリング継手に導水管等を接続する場合にもクランパーに当接する端部と反対側端の外周または内周に設けた係合螺子により簡単に接続することができる。
【００３０】
請求項３記載の本発明は、クランパーに設けた凹部と円筒カップリング継手の前記該クランパーに当接する端部の内空間とで水噴霧ノズルの張出部を収容する凹所を形成するとともに、前記円筒カップリング継手の前記該クランパーに当接する端部の内空間にはＯリングによるシールパッキンを配設し、これを水噴霧ノズルの放水口近くに圧接して放水口からの水がクランパーへと行かないように止水することを要旨とするものである。
【００３１】
請求項３記載の本発明によれば、Ｏリングによるシールパッキンを配設し、これを水噴霧ノズルの放水口近くに圧接して放水口からの水がクランパーへと行かないように止水するので、円筒カップリング継手とクランパーとの接続はキャッチクリップによる圧接だけで特に漏水の配慮をする必要はない。
【００３２】
請求項４記載の本発明は、クランパーに設けた凹部の底部分に内向きフランジを形成したことを要旨とするものである。
【００３３】
請求項４記載の本発明は内向きフランジはクランパーの固定に役立ち、これを六角ナット等で挟み込むことにより、クランパーを水噴霧ノズルの放水口近くに固定することができる。
【発明の効果】
【００３４】
以上述べたように本発明のトンネル用水噴霧設備の点検用治具は、水噴霧設備点検車が使用できない、狭小スペースや障害物が周囲にある場合でも簡単に点検が可能で、しかも、場所を取らずに設置でき、ホースを使用する場合も回ることなく安定してホースを接続でき、水漏れ対策としての止水も完璧なものである。
【図面の簡単な説明】
【００３５】
【図１】本発明のトンネル用水噴霧設備の点検用治具の１実施形態を示す使用状態の側面図である。
【図２】本発明のトンネル用水噴霧設備の点検用治具の１実施形態を示す斜視図である。
【図３】本発明を使用したトンネル用水噴霧設備の点検時のトンネルの全体図である。
【図４】トンネル用水噴霧設備の一例を示す側面図である。
【図５】トンネル用水噴霧設備の一例を示す要部の縦断側面図である。
【図６】トンネル用水噴霧設備の一例を示す要部の正面図である。
【図７】本発明のトンネル用水噴霧設備の点検用治具の第１実施形態を示す円筒カップリング継手のキャッチクリップを取りける前の状態の側面図である。
【図８】本発明のトンネル用水噴霧設備の点検用治具の第１実施形態を示す円筒カップリング継手のキャッチクリップを取りける前の状態の縦断側面図である。
【図９】本発明のトンネル用水噴霧設備の点検用治具の第１実施形態を示す円筒カップリング継手のキャッチクリップを取りける前の状態の平面図である。
【図１０】本発明のトンネル用水噴霧設備の点検用治具の第１実施形態を示す円筒カップリング継手のキャッチクリップを取りける前の状態の底面図である。
【図１１】本発明のトンネル用水噴霧設備の点検用治具の第１実施形態を示すクランパーの斜視図である。
【図１２】本発明のトンネル用水噴霧設備の点検用治具の第１実施形態を示すクランパーの平面図である。
【図１３】本発明のトンネル用水噴霧設備の点検用治具の第１実施形態を示すクランパーの縦断側面図である。
【図１４】本発明のトンネル用水噴霧設備の点検用治具の第２実施形態を示す円筒カップリング継手のキャッチクリップを取りける前の状態の側面図である。
【図１５】本発明のトンネル用水噴霧設備の点検用治具の第２実施形態を示す円筒カップリング継手のキャッチクリップを取りける前の状態の縦断側面図である。
【図１６】本発明のトンネル用水噴霧設備の点検用治具の第２実施形態を示す円筒カップリング継手のキャッチクリップを取りける前の状態の平面図である。
【図１７】本発明のトンネル用水噴霧設備の点検用治具の第２実施形態を示す円筒カップリング継手のキャッチクリップを取りける前の状態の底面図である。
【図１８】本発明のトンネル用水噴霧設備の点検用治具の第２実施形態を示すクランパーの斜視図である。
【図１９】本発明のトンネル用水噴霧設備の点検用治具の第１実施形態を示すクランパーの平面図である。
【図２０】本発明のトンネル用水噴霧設備の点検用治具の第１実施形態を示すクランパーの縦断側面図である。
【図２１】水噴霧設備の点検車両の側面図である。
【図２２】水噴霧設備の点検車両の背面図である。
【図２３】水噴霧設備の点検車両の斜視図である。
【図２４】従来例でのトンネル用水噴霧設備の点検装置のアタッチメントを示す斜視図である。
【図２５】従来例でのトンネル用水噴霧設備の点検装置によって放水の点検が行われる水噴霧ノズルを示す斜視図である。
【発明を実施するための形態】
【００３６】
以下、図面について本発明の実施の形態を詳細に説明する。図１は本発明のトンネル用水噴霧設備の点検用治具の１実施形態を示す使用状態の側面図、図２は本発明のトンネル用水噴霧設備の点検用治具の１実施形態を示す斜視図で、本発明の治具は、水噴霧ノズル側に取付けるものとして外周に係止用溝１０付き突片９を形成したリングによるクランパー８と、側部に前記クランパー８の係止用溝１０付き突片に掛止するキャッチクリップ１７を取付け、一端が該クランパー８に当接して内部に水噴霧ノズルの放水口を収容する円筒カップリング継手１６とからなる。
【００３７】
先に本発明の治具を取り付けるトンネル用水噴霧設備について説明すると図４〜図６に示すように、例えば２５メートル間隔の放水区画単位に１台の自動弁装置が設置され、自動弁装置から立ち上げてトンネル上部壁面に沿って配置した配水管１２から立ち下げた分岐管１３、エルボ継手及び配管を接続したヘッド配管の先端に水噴霧ノズル１１を接続している。
【００３８】
トンネル内で火災が発生したことが火災検知器で検知されると、火災検知器から制御装置に火災信号が送られてポンプが起動され、貯水槽に貯められた加圧水を給水配管を介して圧送され、火災発生区画に設置している自動弁装置を作動して複数の水噴霧ノズルに対し加圧水を供給して一斉に放水させる。
【００３９】
水噴霧ノズル１１はボディ２０により遠投用放水口１８と近投用放水口１９とに約９０度の方向に分かれ、遠投用放水口１８は押えナット２５でデフレクター３７を取り付けている。
【００４０】
近投用放水口１９は内部ノズル３８と外部ノズル３９で構成され、内部にスパイラル４０を形成している。
【００４１】
図中３０は、遠投用放水口１８と近投用放水口１９とに被せるプラスチック製の防塵キャップである。
【００４２】
前記クランパー８と円筒カップリング継手１６はともにステンレス製の重厚かつ堅牢なものであり、先にクランパー８について説明すると、図１１〜図１３、および図１８〜図２０に示すように、円盤状のリングで、上面に開口する円形凹部２６（Φ４１．５、４２）を貫通部の周囲に形成している。
【００４３】
さらに、クランパー８は前記円形凹部２６の底部分にドーナツリング状の内向きフランジ６を一体のものとして形成した。
【００４４】
このフランジ６はクランパー８の固定に用いることができ、これを六角ナット等で挟み込むことにより、クランパー８を水噴霧ノズルの放水口近くに固定することができる。
【００４５】
前記係止用溝１０付き突片９は矩形であり、後述のキャッチクリップ１７の数に応じてその個数が決まり、係止用溝１０はこの矩形突片９を幅方向に横切るものとして下向きに開口する。
【００４６】
なお、図示は省略するが、クランパー８は矩形の突片を前記係止用溝１０付き突片９の他に対称位置に設け、この突片部分で全体を半割とし、該突片をネジで止める、いわゆる首枷タイプとして加締め止めるようにすることが可能である。
【００４７】
円筒カップリング継手１６は前記水噴霧ノズル１１の遠投用放水口１８と近投用放水口１９を内部に収容する意味でカップリングであるが、その外側側部に設けるキャッチクリップ１７は２個が取り付けられる。キャッチクリップとは、「パッチン錠」、「尾錠」とも言われる金具で、レバーフックをバネの力で引っ張って固定する。なお、キャッチクリップ１７はロック１７ａ付きのものが望ましい。
【００４８】
円筒カップリング継手１６は図７〜図１０、および図１４〜図１６に示すように、外周は上半部が縮径し、ここにクランパー８に当接する端部２８と反対側端に達する係合螺子２７を形成した。なお、係合螺子２７は外周ではなく、内周側に形成することもできる。
【００４９】
円筒カップリング継手１６の内部は内側に突き出る肉厚部で、上部空所２９と下部空所３０とに区画され、上部空所２９は前記水噴霧ノズル１１の投用放水口１８もしくは近投用放水口１９の収容部となる。
【００５０】
また、クランパー８に当接する端部２８の内側の空所である前記下部空所３０は前記クランパー８の円形凹部２６と同径であり、円形凹部２６と合わさって噴霧ノズルの張出部（図５、図６においてｂの部分、例えば六角ナット）を収容する凹所を形成する。
【００５１】
図中３１は凹溝であり、図示は省略するがここにＯリングによるシールパッキンを配設する。図７〜図１０に示す円筒カップリング継手１６の場合は凹溝３１は上部空所２９と下部空所３０とに区画する肉厚部の内周面に形成し、図１８〜図２０に示す円筒カップリング継手１６の場合は該肉厚部の下面に形成した。
【００５２】
円筒カップリング継手１６の側壁を貫通する孔は、前記キャッチクリップ１７を取り付けるためのビス挿通孔である。
【００５３】
次に使用法について説明する。本発明のクランパー８と円筒カップリング継手１６は水噴霧ノズル１１の遠投用放水口１８と近投用放水口１９とにそれぞれ取り付けるもので、図７〜図１０に示す円筒カップリング継手１６と図１１〜図１３に示すクランパー８は近投用放水口１９に取付けるもの、図１８〜図２０に示す円筒カップリング継手１６と図１８〜図２０に示すクランパー８は遠投用放水口１８に取付けるものである。
【００５４】
先に水噴霧ノズル１１側にクランパー８を取り付ける。図５のａはこのクランパー８が収まる部分、また、遠投用放水口１８では根本部がそれに該当する。
【００５５】
このクランパー８は常時水噴霧ノズル１１に固定的に設置しておいてもよい。
【００５６】
端部２８をクランパー８に当接させて下部空所３０と円形凹部２６と合わさって形成される凹所に噴霧ノズルの張出部（図５、図６においてｂの部分、例えば六角ナット）を収容し、遠投用放水口１８と近投用放水口１９とを円筒カップリング継手１６の上部空所２９に収め、キャッチクリップ１７でクランパー８と円筒カップリング継手１６とを固定する。
【００５７】
キャッチクリップ１７はレバーフックをクランパー８の突片９の係止用溝１０に引っ掛けて、操作部のハンドルを回動させて係合部を牽引し、牽引状態に保持する。
【００５８】
このようにした場合、前記凹溝３１に配設するＯリングによるシールパッキンは、水噴霧ノズルの放水口近く、詳しくは図５、図６に示すｃの部分（六角ナット等）に圧接して遠投用放水口１８と近投用放水口１９水がクランパー８へと行かないように止水する。
【００５９】
円筒カップリング継手１６には係合螺子２７により継手金物３３を介して町野式継手３４を設けたホース３５を接続し、このホース３５は例えば水噴霧設備の点検車両１に備わる気液分離装置や流量計に導く。
【００６０】
町野式継手３４は日本工業規格ＪＩＳＢ ９９１１に規定された継手で、軸方向に嵌合する雄金具と雌金具で構成され、雄金具と雌金具が、ワンタッチで連結と連結解除が可能になっている。
【００６１】
詳しくは、連結の際、雄金具の先端に設けられた環状の突起に、雌金具の内部に設けられて周方向内側に付勢される爪部材が係合し、雄金具と雌金具の連結状態が保持される。一方、連結解除の際、雄金具のホース側に設けられた環状の押し環を雌金具側にスライドさせると、押し環の先端が雌金具内の爪部材の傾斜面に当接し、爪部材が径方向外側に退去させられる。
【００６２】
これにより、雌金具の爪部材と、雄金具の突起との係合が解除されて、雄金具と雌金具との連結が解除される。
【００６３】
このように、雄金具の先端を雌金具の内側に挿入する操作で連結でき、また、雄金具の押し環を雌金具側にスライドさせる操作で連結解除できる。
【００６４】
ホース３５は、内部が視認可能な透明のクリスタルホースが望ましい。
【００６５】
ホース３５が導く先は、前記のような水噴霧設備の点検車両１に備わる気液分離装置や流量計の他に、台車等にこれらの気液分離装置や流量計や排水装置を設置した装置であってもよい。
【００６６】
点検を行う全ての水噴霧ノズル１１について本発明の治具の取付が完了すると、手動操作により、水噴霧設備のポンプ装置を起動すると共に弁装置を開き操作し、配水管１２への水の圧送を開始する。
【００６７】
配水管１２へ水が圧送されると、分岐管１３を通して各水噴霧ノズル１１に水が供給され、水噴霧ノズル１１の遠投用放水口１８と近投用放水口１９から水が放出される。
【００６８】
遠投用放水口１８と近投用放水口１９から放出された水は、円筒カップリング継手１６、継手金物３３、町野式継手３４、ホース３５を通して気液分離装置で空気が分離されて除去され、流量計で流量が測定される。
【００６９】
水噴霧ノズル１１の放水流量の測定が終了すると、水噴霧設備のポンプ装置を停止すると共に弁装置を閉じ操作し、配水管１２への水の圧送を停止する。
【００７０】
これにより、水噴霧ノズル１１からの水の放出が停止する。水噴霧ノズル１１の放水が停止すると、水噴霧ノズル１１の遠投用放水口１８と近投用放水口１９から円筒カップリング継手１６を取り外す。
【符号の説明】
【００７１】
１…水噴霧設備の点検車両            ２…昇降用のリフター
３…作業台バケット                  ４…アーム
５…集水器                          ６…フランジ
７…トンネル
８…クランパー                      ９…突片
１０…係止用溝                      １１…水噴霧ノズル
１２…配水管                        １３…分岐管
１４…ノズルヘッド                  １５…連結板
１６…円筒カップリング継手          １７…キャッチクリップ
１７ａ…ロック                      １８…遠投用放水口
１９…近投用放水口                  ２０…ボディ
２１…ステンレス製の箱状体          ２１ａ…開口
２２…排出管                        ２３…カップリング
２４…パッキン                      ２５…押えナット
２６…円形凹部                      ２７…係合螺子
２８…端部                          ２９…上部空所
３０…下部空所                      ３１…凹溝
３２…アタッチメント                ３３…継手金物
３４…町野式継手                    ３５…ホース
３６…操作部                        ３７…デフレクター
３８…内部ノズル                    ３９…外部ノズル
４０…スパイラル
【要約】
【課題】水噴霧ヘッドのピット間隔やトンネル内のさまざまな障害物があるような水噴霧設備点検車の集水器が使用できない場所でも、簡単に点検が可能で、しかも、場所を取らずに部品を設置でき、ホースを使用する際もホース自体が回ってしまうこともなく安定した状態でホースを接続でき、さらに、水漏れ対策としての止水も完璧なものであるトンネル用水噴霧設備の点検用治具を提供する。
【解決手段】水噴霧ノズル側に取付けるものとしての外周に係止用溝付き突片を形成したリングによるクランパー８と、側部に前記クランパーの係止用溝付き突片９に掛止するキャッチクリップ１７を取付け、一端が該クランパー８に当接して内部に水噴霧ノズルの放水口を収容する円筒カップリング継手１６とからなる。
【選択図】図１【図１】
0006912617.tif 000002
【図２】
0006912617.tif 000003
【図３】
0006912617.tif 000004
【図４】
0006912617.tif 000005
【図５】
0006912617.tif 000006
【図６】
0006912617.tif 000007
【図７】
0006912617.tif 000008
【図８】
0006912617.tif 000009
【図９】
0006912617.tif 000010
【図１０】
0006912617.tif 000011
【図１１】
0006912617.tif 000012
【図１２】
0006912617.tif 000013
【図１３】
0006912617.tif 000014
【図１４】
0006912617.tif 000015
【図１５】
0006912617.tif 000016
【図１６】
0006912617.tif 000017
【図１７】
0006912617.tif 000018
【図１８】
0006912617.tif 000019
【図１９】
0006912617.tif 000020
【図２０】
0006912617.tif 000021
【図２１】
0006912617.tif 000022
【図２２】
0006912617.tif 000023
【図２３】
0006912617.tif 000024
【図２４】
0006912617.tif 000025
【図２５】
0006912617.tif 000026